(57)【要約】本発明の目的は、ペーパーマシンにおける紙ウェブ(3)を安定化させるための装置であり、その装置は、少なくとも、それら間にポケット空間を形成する三個のシリンダー(4、5、6)、吹き付けボックスが吹き付けノズル(12)を持ち、そこで、ノズル穴（19）が配置されているポケット空間に配置された吹き付けボックス(7)、概ね吹き付けボックス(7)の方向の分離壁とを含み、その分離壁は、概ね平行である第一端と第二端を持ち、第一端から吹き付けボックス(7)に取り付けられ、紙ウェブ(3)の移動方向におけるその高さは、紙ウェブ(3)の移動方向における吹き付けボックス(7)の高さの25-300%であり、分離壁の第二端では、シリンダー(4、5、6)の表面に概ね伸ばされている境界層エアドクタ(15)が配置され、その壁(10)は、吹き付けボックス(7)と壁(10)が開口ニップ(8)とそれに続く閉鎖ニップ(9)間の領域で空間を形成し、その空間の中に、紙ウェブ(3)を布地(2)の方に、該ニップ(8、9)間の領域で支持するために、負圧が整えられることができる。
2006510818.tif 000002
【特許請求の範囲】
【請求項１】
ペーパーマシンにおける紙ウェブ（３）を安定化させるための装置であって、
ポケット空間が間に形成されるように配置される少なくとも３つのシリンダ（４、５、６）と、
前記ポケットに配置され、ノズル穴（１９）が配設された吹付ノズル（１２）を有する吹付ボックス（７）と、
実質的に吹付ボックス（７）の方向に別体の壁（１０）とを含み、
該壁は、略平行な第１及び第２のエッジを有し、
該壁は、吹付ボックス（７）に第１のエッジから取り付けられており、
紙ウェブ（３）の移動方向における該壁の高さは、紙ウェブ（３）の移動方向における吹付ボックス（７）の高さの２５−３００％であり、
該壁の第２のエッジにおいて境界層エアドクタ（１５）が配置され、該ドクタは、実質的にシリンダ（４、５、６）の表面上まで延在し、
該壁（１０）は、吹付ボックス（７）及び壁（１０）が、開いたニップ（８）とそれに後続する閉じたニップ（９）との間の領域おいて空間を形成するように、吹付ボックス（７）に取り付けられ、紙ウェブ（３）を布地（２）に向けて該ニップ（８、９）間の領域で支持すべく、該空間に負圧を形成可能とすることを特徴とする、装置。
【請求項２】
紙ウェブ（３）の移動方向における該壁の高さは、紙ウェブ（３）の移動方向における吹付ボックス（７）の高さの５０−１５０％であることを特徴とする、請求項１に記載の装置。
【請求項３】
紙ウェブ（３）の移動方向における該壁の高さは、紙ウェブ（３）の移動方向における吹付ボックス（７）の高さの７０−１００％であることを特徴とする、請求項２に記載の装置。
【請求項４】
境界層エアドクタ（１５）は、支持部材（１６）を介して前記壁（１０）の第２のエッジに配置されていることを特徴とする、請求項１に記載の装置。
【請求項５】
吹付ボックス（７）及び壁（１０）により形成される空間に、標準圧力よりも少なくとも５０Ｐａ低い負圧を形成できることを特徴とする、請求項１に記載の装置。
【請求項６】
可撓性のあるノズル壁（１８）が吹付ボックス（７）に関連して配置されていることを特徴とする、請求項１に記載の装置。
【請求項７】
境界層エアドクタ（１５）は、支持部材（１６）及び／又は吹付ボックス（７）をペーパーマシンから取り除くことなく交換可能に構成されることを特徴とする、請求項１に記載の装置。
【請求項８】
境界層エアドクタ（１５）は、所定位置にある境界層エアドクタ（１５）を引っ張り離す又は押し離し、新しい境界層エアドクタ（１５）を所定位置へと引っ張る又は押すことにより、交換可能に構成されることを特徴とする、請求項７に記載の装置。
【請求項９】
紙ウェブを安定化させる請求項１に記載の装置を含むペーパーマシン。
【発明の詳細な説明】
【発明の詳細な説明】
【０００１】
本発明は、ペーパーマシン又はその類における紙ウェブ（紙匹）を安定化させるための装置に関連し、その装置では、紙ウェブが、シリンダーの助けで、少なくとも、乾燥され、吹き付けボックスの助けで、シリンダー間の空間、即ち、ポケット空間で、紙ウェブが布地の方に支持され続けられる。本発明は、また、ペーパーマシンに関連する。
【０００２】
ペーパーマシン又はその類の乾燥セクションにおいて、シリンダー間で、ウェブを布地の方に支持するために、吹き付けボックスを利用することは、知られている。全ポケット空間を殆ど占め、開口ニップ近くに吹き付けノズルがある吹き付けボックスが、文献US4932138に開示されている。エッジシール(edge  seal)を除いて、下部シリンダーと吹き付けボックス間に空気をガイドする何らの種類も開示されていない。文献US4669198では、吹き付けボックスが、ポケット空間全体の殆ど半分の寸法を持ち、開口ニップ近くに一つの吹き付け開口部があり、シリンダーの上方部分のほぼ縦方向におけるポケット空間の下方部分に低い空気ガイドがある、大きな吹き付けボックスを使用する一つの解決策が開示されている。本吹き付けボックスは、ポケット空間の半分をほぼ全体に占めるかなり大きなものである。大きな吹き付けボックスは、また、異なった目的に対してはかなり面倒であり、製造に対し高価である。文献US6155938では、ポケット空間に置かれた吹き付けボックスが開示されており、その吹き付けボックスでは、吹き付けボックスの下部部分に置けられた吹き付けノズルの助けで、布地の方にウェブを支持することが、できるようになっている。この構造では、下部シリンダーに関連して、配置された構造は、しかしながら、全く複雑で製造することが困難である。
【０００３】
吹き付けがウェブの方に向けられ、ウェブに沿ってやってくる空気流れがウェブと一緒にずれることを防ぐようにした吹き付けボックスが、文献US6189232に開示されている。吹き付けノズル近傍に配置された柔軟な壁は、その文献でも、また、表されている。更に、その文献では、ウェブの入口側と出口側の両方に配置されたシールが、開示され、シールが、その他端から吹き付けボックスに取り付けられ、その他端はシリンダーと接触しているようになっている。
【０００４】
文献FI110442では、全体の概略では文献US6189232に開示される解決策に対応する乾燥セクションが開示されている。この文献では、しかしながら、ウェブの出口側に配置された唯一つのシールがあるのみである。両文献では、このシールは、吹き付けボックスの寸法に関し非常に小さな寸法である。吹き付けボックスは、また、シリンダー間に残っているポケット空間に注意深く適合されている、言い換えると、それらの下部端はシリンダーの形状に従うように曲げられている。
【０００５】
文献FI76610では、二個の吹き付けボックスがシリンダー間のポケット空間に配置された解決策が開示されている。補助壁は、両吹き付けボックスに配置されている。
【０００６】
上述の解決策の問題は、それらにおいて、吹き付けボックスが、本質的には、ロールとシリンダー間に残されているポケット空間と同じ寸法と形態であるので、各ペーパーマシンに対しそれらが、それぞれに組み立てられる必要があることである。
【０００７】
本発明の目的は、従って、ウェブの支持と安定化のために、布地に関連して、断面では全く小さく、それによって、シリンダーポケットに容易に適合するであろうかなり簡単な吹き付けボックスを持つ装置を提供することである。一つの主な目的は、断面でかなり小さく、所謂、標準寸法化されたものである吹き付けボックスが、また、古い機械の大部分に適合できるであろう装置を提供することである。更に、特別な目的は、低いエネルギー消費を持つが、しかし、なお、ウェブの優れた安定化を持つ装置を提供することである。
【０００８】
本発明の目的は、独立した請求項で定義されたところのものにより達成される。
【０００９】
本発明の目的は、ペーパーマシンでのウェブを安定化させる装置であり、その装置は次のものを含む：
―ポケット空間がシリンダー間で形成されるように配置された少なくとも三個のシリンダー、
―ノズル穴が配置された吹き付けノズルを持つポケット空間に配置された吹き付けボックス、
―吹き付けボックスの方向に頑丈な分離壁を含み、
−壁は、概ね平行である第一端と第二端を有し、
−壁は、その第一端から吹き付けボックスに取り付けられており、
−紙ウェブの移動方向における壁の高さは、紙ウェブの移動方向における吹き付けボックスの高さの25-300%であり、
−壁の第二端では、境界層エアドクタが配置され、概ね、シリンダー表面まで延びており、
分離壁は、吹き付けボックスと壁が開口ニップとそれに続く閉鎖ニップ間の領域で空間を形成するように吹き付けボックスに取り付けられ、該ニップ間の領域で紙ウェブを布地の方に支持するために、負圧がその空間の内部に配置できるようになっている。
【００１０】
本発明は、それによって、布地に関連して、ペーパーマシンにおけるウェブを安定化させるための装置に関係する。本発明による装置は、自然に、また、他の関連する機械に使用されることができる。シリンダーの助けと、また、空気吹き付けの助けで、ウェブが乾燥されるところのペーパーマシンのその部分で、装置は有用に使われる。第一シリンダーと第二シリンダー又はロール間の領域で、吹き付けボックスの助けで、ウェブは、布地の方に支持され続ける。シリンダーは、この特許出願では、例えば、乾燥シリンダー又は平面で溝付き又は多孔質ロールを意味している。
【００１１】
一つの実施例によれば、吹き付けボックスの吹き付けノズルは、ウェブの移動方向に置かれており、空気が負圧空間から噴出されるように、吹き付けノズルのノズル穴は、開口ニップの実質的に前にあるようになっている。ニップ前の位置は、ノズル穴が、最大で、ニップの上最大で約200mm、有用なのは、ニップの上最大で約50mmであることを意味している。それによって、紙ウェブを制御するための吹き付けボックスの効率は大きくなる。吹き付けボックスは、有用なのは、実質的にウェブの全幅に広げられる。
【００１２】
本発明の一つの他の実施例によれば、吹き付けボックスは、吹き付けノズルのノズル穴が概ね開口ニップであるように、置かれる。本発明の一つの更なる実施例によれば、吹き付けノズルのノズル穴がウェブの移動方向において概ねニップより下にあり、例えば、最大で約100mm、有用なのは、ニップより下最大で約30mmであるように、吹き付けボックスは置かれる。
【００１３】
更に、本発明による装置では、概ね吹き付けボックスの方向に分離壁がある。吹き付けボックスの方向とは、ここでは、この壁もウェブの全幅上に概ね配置されていることを意味している。壁は、特に、有用なのは、板状材料から作られ、それによって、壁の幅と長さは、その厚さに比べ十分に大きい。壁の幅は、ここでは、ペーパーマシンの幅方向、即ち、紙ウェブの移動方向に対し横切る方向、での寸法を意味している。それに対応して、幅の高さは、紙ウェブの移動方向に平行である寸法である。壁は、また、お互いが概ね平行である第一と第二端を持ち、更に、それらは、壁の横方向に概ね平行である。
【００１４】
本発明による解決策では、該壁は、吹き付けボックスにその第一端から取り付けられている。接合部は、有用なのは、開放できるように作られている。更に、接合部は、有用なのは、固く、即ち、それ自身知られているシーリング部材が、有用なのは、その中で使われる。それによって、重大な流出のない負圧空間は形成される。
【００１５】
紙ウェブの移動方向における本発明による壁高さは、紙ウェブの移動方向における吹き付けボックスの高さの25-300%である。更に、実質的にシリンダー表面に広がっている境界層エアドクタが、壁の他端に、配置されている。 “実質的にシリンダー表面”は、ここでは、境界層ドクタとシリンダーの表面がお互いに対し主に接触しているが、しかしながら、その結果として、それら間に、例えば、1−2mm間隙があるであろうことを意味している。一方、境界層ドクタは、シリンダー表面の方に力で押し付けられてはいない。この、所謂、境界層エアドクタは、開口ニップと閉鎖ニップ間の領域で、第二シリンダー又はロールに起因するウェブの方への空気流れを出来るだけうまく妨げる。
【００１６】
従って、本発明による解決策では、分離壁とそれに取り付けられた境界層エアドクタがある。上述の文献に開示される解決策では、境界層エアドクタに接続されたこの種の壁がまたあるが、それらでは、この壁の高さは、吹き付けボックスの高さに関し、本発明において開示されるものとは逆に、非常に小さい。他方、本発明は、例えば、文献FI76610に開示される解決策とは異なり、本発明による解決策では、開口ニップとそれに続く閉鎖ニップとの間の領域で負圧になるようにすることが可能である。
【００１７】
壁とその端に置かれた境界層エアドクタが、各場合に適するような大きさに出来るので、各使用目的において必要となる寸法の壁と境界層エアドクタが、標準寸法化された吹き付けボックスに取り付けられることが出来るような、重要な利点は、本発明による解決策で達成される。それによって、標準寸法の該吹き付けボックスの製造が連続生産で、従って、経済的に実行できるので、コストの節減は、達成することができる。本発明による壁は、板状製品であり、従って、実際の吹き付けボックスを生産するのはより経済的である。更に、高さ方向に伸ばされた穴は、壁の中に配置され、それによって、壁と吹き付けボックスの組み合わされた高さが調整できる。
【００１８】
従って、本発明による解決策では、壁は吹き付けボックスに接続され、吹き付けボックスと壁が該開口ニップとそれに続く閉鎖ニップ間の領域で空間を形成し、該ニップ間の領域で布地の方に紙ウェブを支持するために、その空間内に、負圧が整えられるようになっている。この方法では、新しいマシンに適合するばかりでなく大抵の古いマシンにも適合できる解決策が、達成される。この方法では、エネルギー消費の観点から有利な解決策は、ウェブの安定化が、また、より成功裏のもとで、達成される。
【００１９】
該壁高さは、マシン形状寸法によって決定される。本発明による一つの実施例によれば、紙ウェブの移動方向における壁高さは、紙ウェブの移動方向における吹き付けボックスの高さの50-150%、有用なのは、70-100%である。吹き付けボックスの高さに関して、壁高さは、所望の全体の高さを基礎に選ばれることは明らかである。それによって、壁高さは、例えば、吹き付けボックスの高さの、25-50%、25-80%、25-100%、25-90%、50-200%、50-120%、50-250%、0-100%、70-120%、150-300%、150-200%、又は、70-150%、同様に、25、29、30、36、42、50、53、61、65、70、79、75、82、90、93、100、105、110、115、120、134、140、148、159、180、200、247、268、又は、295%である。
【００２０】
本発明の一つの他の実施例によれば、境界層エアドクタは、支持要素を経て壁の第二端に配置されている。そのとき、境界層エアドクタの壁への接合は、容易に、堅固にきつく組み立てられる。もしも、境界層エアドクタが、マシンから該支持要素又は吹き付けボックスを取除くことなく、交換されるならば、そのとき、交換は単純でかなり早い操作であるので、特に、有用である。境界層エアドクタは、例えば、その場所にあるドクタを引き出す又は押し込むことにより、その場所に新しいドクタを押し込む又は引き出すことによって交換されることができる。
【００２１】
本発明による装置で、通常の圧力より、少なくとも、50Pa低い負圧は、吹き付けボックスと壁により制限された空間に、有利に整えられることできる。更に、有用なのは、この圧力は、通常の圧力より、少なくとも、10Pa低い。
【００２２】
更に、本発明による装置では、吹き付けボックスと関連して、弾性的に曲がる柔軟なノズル壁を配置することは可能であり、故障場所、ウェブ切断と同類において、延伸した安全な距離がシリンダーとボックス間で要求される。この種の柔軟なノズル壁は、典型的に、吹き付けノズル近く、マシン方向でそれより少し後に、配置されている。有用なのは、柔軟ノズル壁は、ニップの丁度上である。柔軟ノズル壁は、柔軟な材料から作られた壁と、例えば、バネ又は回転関節(turning  joint)の助けで、柔軟であるように配置された、又は、間接接合の軸又は点周りで動くように配置されているような固い要素との両方を意味している。この種の柔軟なノズル壁は、バネ力又は重力のどちらかで機能することができる。本発明による装置で使用に適した一つの柔軟なノズル壁は、図の記述と関連して以下に開示されている。本発明による装置で使用に、また、適している、それ自身知られている一つの他のノズル壁は、本出願による特許FI102400で開示されている。
【００２３】
吹き付けノズル付近では、もしも故障場所で、紙チップ又はその類のような異物がウェブに沿ってやってきたならば、弾性的に曲がる柔軟なストリップを配置することができる。そのとき、この異物は、構造を破損しない。また、上述のノズル壁は、もしも異物がウェブと一緒にやってきたならば、弾性的に曲がることができる。
【００２４】
本発明による装置は、ウェブ速度が、通常、最大1000m/minであるようなマシンにおいて、たとえ、本発明の使用の範囲が、典型的に、ウェブ速度が600-1400m/min間であるような使用においても、使用することができる。本発明による装置は、マシン構造に大きな吹き付けボックスが置かれているとき、度々空間の問題をまた呈する古いマシンの近代化において、特に有用である。
【００２５】
境界層エアドクタは、少なくとも、ある程度に柔軟である材料から、有用に製造され且つ／又はそれが弾性的に曲げることのできるように配置される。この場合、ことによると発生するチップ又は異物は装置の損傷に起因しないようである。
【００２６】
該吹き付け空気は一個又はそれ以上のブロアの使用によって作られることが推奨される。ブロアによる必要動力は、極めて合理的なものであり、流路と装置はかなり寸法的に小さい。
【００２７】
更に、本発明の目的は、紙ウェブの安定化のために、上述したような装置を含むペーパーマシンである。
【００２８】
次に、本発明は添付の図表を参照してより詳細に記載される。
【００２９】
図1では、どの種の吹き付けボックスもポケット空間で使われないとき、ウェブの安定化に関係するペーパーマシンにおいて起こる一つの走行性問題は、明確のために、ある程度誇張して図示されている。参照印aは、シリンダーを示し、そこから、布地（fabric）bと紙ウェブcが下部シリンダーdに降下し、更にシリンダーeに上に動く。布地bとウェブcがシリンダーaから離れるとき、ウェブcと布地bは、時々、お互いに離れ、通常、問題を引起す。度々注記されているように、ウェブcは、図1に示されるように、下部シリンダーdで布地bと接触状態でない。
【００３０】
図2では、参照番号1は、ペーパーマシン又はその類において、布地2と関連して、ウェブ3を安定化させるための本発明の一実施例による装置を示し、この装置では、シリンダー4、5と6の助けと、ことによるとまた、エア吹き付けの助けで、ウェブ3は乾燥され、吹き付けボックス７の助けで、シリンダー4と5巻の領域で、ウェブ3は布地2の方に支持され続ける。吹き付けボックス７の壁は、最も通常では、曲げ又は溶接、且つ／又は他の接合方法によって、金属板から形成されている。ウェブ3の断面方向でのその厚さは、近似的に、ウェブ3の厚さ又はそれよりほんの少し薄い。吹き付けノズル12の助けで、空間11から離れる、即ち、矢印13の方向に空気を噴出すことによって、開口ニップ8、閉鎖ニップ9と吹き付けボックス７に接続された壁10によって形成される空間11内に、負圧は整えられる。吹き付けられ空気は、吹き付けボックス7に配置された（図示せず）流路に沿って吹き付けノズルに導かれる。吹き付けノズル12の近傍では、柔軟なノズル壁18が配置されている。吹き付けノズル12近くの部分は、もしも、ある理由で、不純物、例えば、所謂、紙塊(paper  lump)又はその類がより高い所から降りてきたならば、少なくともある程度、動くことが出来るように配置されている。吹き付けノズル12は、開口ニップ8の上方、多少、例えば、5−15cm又は更にそれ以上、吹き付けボックス７の上部に配置される。弾性的に曲げることができ、吹き付けノズル12近くに配置されたこの種の部分の使用は、この種の実施例では、それ自身知られている技術である。
【００３１】
壁10は、他の材料もこの使用に対し、考慮することができるが、例えばアルミニューム板から最も適切に形成される。壁10は、点14から吹き付けボックス7の下部部分の前壁に、即ち、マシン方向で吹き付けボックス７の前壁にネジ又はその類(図示せず)でかなりしっかりと取り付けられる。壁10に上昇方向に延伸された穴(図示せず)を持つことが推奨され、その穴の助けで、例えば3cmであり得る調整用マージンが実現できる。壁10の下方部分では、支持要素、即ち、壁10の下方部分にドクタ支持16、に据え付けられている境界層エアドクタ15がある。ドクタ15は、少なくとも、ある範囲に対し柔軟であり、その下方部分は全くシリンダー5の面近くにあるか、又は、シリンダー面に接触している。壁10の高さは、吹き付けボックスの高さに比べ全く高い。一つの典型的な実施例では、吹き付けボックスの高さは、約40cmであり、壁10の高さは30cm以上である。吹き付けボックス７の断面は、いくらかの異なった使用でも同じであり、負圧空間11は、使用に対し適切である高さの壁10を選択することによって形成される。この方法を実行するとき、吹き付けボックス７は、標準的な生産として考慮されることができ、必要に応じて異なった寸法の部品で製造されるため、壁10は単純である、なぜならば、最も通常、壁10は製造されるのに、かなり単純である板の平板状部品であるからである。
【００３２】
図3は、ドクタ15を持つ実施例による壁10の下方部分を、より詳細に図示している。壁10の下方部分では、ドクタ支持16が、平面シール17の助けで、空気を壁10に気密に取り付けられている。ドクタ15自身は、柔軟な材料、例えば、ゴム又はその類で作られ、ドクタ15の下方部分の全体はかなり薄い。この実施例では、ドクタ15の上部の断面は円弧であり、ドクタ支持16は、適切な空間がドクタの取替えのために必要であるのに、同様の構造を持っているので、ドクタ15はドクタ支持16の中の所定の場所に留まっている。ドクタ支持16の下方部分では、ドクタ15を正しい場所に保持するため、かなり長い案内面があることに注意されるべきである。ドクタ15の下方部分がシリンダー５の面に僅かに触れるような高さに、壁10は、ネジ又はその類の助けで、調整される。それによって、ドクタ15を通過する漏れは軽微であり、開口ニップ8の後方のウェブ部分でウェブ3を制御するために、空間11に所望の負圧が容易に維持される。ドクタ15の形状は、磨耗したドクタが容易に引き離され、従って、新しいドクタがその場所にセットされることができるようなものである。ロール5が、その回転運動により、その外周表面近くにかなり大きな空気流れを引起すので、壁10、ドクタ支持16と特にドクタ15の下方部分の構造は、所謂境界層エアドクタとして、特に、動作することが予測でき、該ドクタは殆ど該空気流れと特に乱流流れ、空間11でウェブ3に関するそれらの有害な効果を取除く。それ故、効率のよい境界層エアドクタ効果を達成するために、ドクタ15は、その下方部分から、少なくとも、シリンダー5と殆ど接触している。
【００３３】
構造は、また、端版(図示せず)を含み、その助けで、空間11がウェブ3の両端からかなりよく閉鎖される。それによって、所要の負圧は、吹き付けノズル12を介して、吹き付けボックス7のダクトによって点でもたらされる空気が吹き付けられて、空間11の中心で、空気圧力が標準空気圧力より、少なくとも、50Pa、好ましくは、少なくとも120Pa低いような程度になるように、空間11に形成されることができる。これは、通常、空間11の影響の範囲内で、特に、開口ニップ8の近くと後で、ウェブ3を制御するために十分な負圧である。
【００３４】
図4は、図2に示された吹き付けノズル12を図示したものである。ノズル穴19と矢印20による空気流れは、この実施例による吹き付けノズル中に図示されている。本図では、また、柔軟なノズル壁18は、二つの異なった位置に図示されていて、使用位置(参照番号18)と、ある異物がウェブに沿ってやってきたときの開口位置(参照番号18’)である。更に、シリンダー4、紙ウェブ3と布地２は、開口ニップ8と同様に、本図に図示されている。
【００３５】
本発明は、ペーパと板マシンの両方において、新しいマシンばかりでなく古いマシンの改造においても使われることが推奨される。本発明は、特に、6mより小さな幅を持つマシン、マシン幅がこれ以上の場合でも勿論であるが、に適している。古いマシンの改造では、ウェブ速度は、通常、約1000m/minである。本発明による装置で、低エネルギー消費の使用は達成され、それ故に、相対的に小型で経済的な低圧ブロアが、空気発生において使われることができる。
【００３６】
本発明は、開示した実施例に限定されるのではなく、いくらかの修正は、開示した請求項の範囲内で考えられることができる。参照番号は、また、本発明を限定するために考慮されるべきでない。
【図面の簡単な説明】
【００３７】
【図１】ペーパーマシンで起こる一つの走行性問題を、明確のためにいくらか誇張して示す図である。
【図２】ペーパーマシンにおけるウェブを安定化させ、特に、吹き付けボックスの助けで、シリンダー間の領域で、布地に向けてウェブを支持する本発明による装置の一つの実施例示す図である。
【図３】壁の下部部分と図2に図示された境界層エアドクタを拡大して示す図である。
【図４】図2に図示された吹き付けノズルを示す図である。
【図１】
2006510818.tif 000003
【図２】
2006510818.tif 000004
【図３】
2006510818.tif 000005
【図４】
2006510818.tif 000006
【国際調査報告】
2006510818.tif 000007
2006510818.tif 000008